(57)【要約】  注射器から薬剤を押し出すようになされたスマートプランジャロッドが開示される。プランジャロッドは、注射器のピストンに作用するような大きさおよび寸法とされたシャフトと、無線センサの少なくとも２つのサブユニットを収容する指作動式ヘッド部分とを備える。作動前形態では、サブユニットが物理的障壁により互いに離間して配置され、かつ無線センサが非稼動である。作動後形態では、サブユニットが互いに接続され、かつセンサが、信号を送信するように稼動する。ユーザは、指作動式ヘッド部分を作動させて物理的障壁を可逆的に動かし、プランジャロッドを作動前形態から作動後形態に移行させる。センサにより送信された信号は、注射器からの薬剤の放出に関する情報を含むとともに、遠隔受信機により受信される。【選択図】図１
2020501667.tif 000002
【特許請求の範囲】
【請求項１】
注射器のピストンに作動するような大きさおよび寸法とされたシャフトと、無線センサの少なくとも２つのサブユニットを備える指作動式ヘッド部分とを備える、前記注射器から薬剤を押し出すようになされたプランジャロッドであって、
作動前形態では、前記少なくとも２つのサブユニットが物理的障壁により互いに離間して配置され、かつ前記無線センサが非稼動であり、
作動後形態では、前記少なくとも２つのサブユニットが互いに接続され、かつ前記センサが、信号を送信するように稼動し、
ユーザが、前記指作動式ヘッド部分を作動させて前記物理的障壁を動かし、前記プランジャロッドを前記作動前形態から前記作動後形態に移行させる、
プランジャロッド。
【請求項２】
前記物理的障壁が、可撓性であるとともに、動かされた後に前記物理的障壁の元の形態に戻る、請求項１に記載のプランジャロッド。
【請求項３】
前記物理的障壁が片持ち棚部を備える、請求項２に記載のプランジャロッド。
【請求項４】
前記センサの前記少なくとも２つのサブユニットが、アンテナサブユニットと、無線送信サブユニットとを備える、請求項１に記載のプランジャロッド。
【請求項５】
前記アンテナサブユニットが、少なくとも１つの電気導線がアンテナ保持部の底面に位置決めされた前記アンテナ保持部に巻き付けられたアンテナ線を備える、請求項４に記載のプランジャロッド。
【請求項６】
前記無線送信サブユニットが、無線送信チップと、少なくとも１つの接点スイッチとを備える、請求項５に記載のプランジャロッド。
【請求項７】
前記少なくとも１つの接点スイッチが、前記作動後形態において前記少なくとも１つの電気導線に接触する、請求項６に記載のプランジャロッド。
【請求項８】
前記指作動式ヘッド部分がセンサハウジングを備える、請求項４に記載のプランジャロッド。
【請求項９】
前記センサハウジングが、前記無線送信ユニットを受け入れるような大きさおよび寸法とされたスロットを画定する、請求項８に記載のプランジャロッド。
【請求項１０】
前記センサハウジングが、前記アンテナユニット上の向き決め切欠部と一致するような大きさおよび寸法とされた向き決め係止部を更に備える、請求項９に記載のプランジャロッド。
【請求項１１】
前記指作動式ヘッド部分の上部に位置する可撓性カバーを更に備える、請求項１に記載のプランジャロッド。
【請求項１２】
前記可撓性カバーがエラストマー製である、請求項１１に記載のプランジャロッド。
【請求項１３】
前記信号が、前記注射器からの前記薬剤の押し出しに関する情報を含む、請求項１に記載のプランジャロッド。
【請求項１４】
前記信号が遠隔受信機により受信される、請求項１に記載のプランジャロッド。
【発明の詳細な説明】
【技術分野】
【０００１】
本発明は、概して、注射器での注射を確認してそのような情報を無線送信するために注射器プランジャロッド内に一体化させることができるセンサおよび通信システムに関する。
【背景技術】
【０００２】
最適な患者治療を確実に行うために、患者の医療従事者（ＨＣＰ）により処方された投薬計画に患者が従うことが不可欠である。同様に、２人の患者が同一ではないので、患者に処方された最善の治療および投薬を確実に行うために、ＨＣＰは、患者に処方された薬剤の服用を患者が遵守していることを確認する必要がある。この情報は、薬剤が患者に有効であるかどうかまたはより良好な代替の投薬計画が患者に更に恩恵をもたらし得るかどうかをＨＣＰが判断するのに役立つ。
【０００３】
同様に、患者が処方を遵守していることを確認することは、臨床試験で新薬の効能を判断するのに必要である。臨床試験では、充填済み注射器が一般的に使用され、多くの場合、まず新薬が充填済み注射器を用いて市場に投入され、例えば自己注射器などのより複雑な送達装置が後に続く。
【０００４】
現在のところ、服薬遵守を治療効果と相関させるために使用できる、注射器での注射の使用状況の確認をＨＣＰに与えることができる充填済み注射器または付属品の付いた充填済み注射器に埋設されたセンサまたは電子システムは存在しない。今日、ＨＣＰは、患者が服薬遵守を報告することと、臨床現場以外での患者の誠実さとに依存する。処方された投薬計画に従う患者の誠実さにこのように依存することは、治験での新薬の効能、利点および他の結果が、処方された投薬計画を患者が遵守することに大きく依存するという臨床試験での重大なリスクとなる可能性がある。
【０００５】
従来技術は、患者の投薬計画を追跡するために物理的日記および電子日記を利用する。加えて、他の従来技術は、患者に自身の薬剤の服用を忘れないようにするための電子リマインダからなる。これらのシステムの両方が、受動的であるとともに患者の誠実さおよび遵守に依存し、僅かに有効であるに過ぎない。ＨＣＰは、例えば、患者が遵守していないときに遵守していることを示すためにＨＣＰの診察を受けに行く直前に患者が日記に単に記入しただけかどうかを見分けることができない。同様に、電子リマインダに関しては、患者が、警報を止めるために実際に薬剤を注射せずに注射したことを単に知らせることがある。
【発明の概要】
【発明が解決しようとする課題】
【０００６】
そのように、患者の遵守を確実にしてＨＣＰが薬剤の効能を判断することを可能にするために実際の注射器の使用状況および他の確認情報を取得してかかる情報を例えば無線送信するための手段および機器が必要である。
【課題を解決するための手段】
【０００７】
よって、本発明は、注射器での注射を検出して注射確認情報を外部受信機に無線送信するための方法、設計、および機器を対象とする。本発明は、無線送信システム内での１つもしくは複数のサブユニットまたはサブシステムの分離を採用し、それにより、サブユニットが、注射器プランジャロッド内に埋設されるとともに、使用前に別々に保持される。ユーザがプランジャロッドを押し下げることにより注射器が注射／使用されるときに、分離された無線送信サブユニットが一緒にされ電気的に再接続されて動作する無線送信システムを確立する。
【０００８】
また、アンテナおよび無線送信チップサブシステムなどの、無線送信サブシステムの分離により、注射器が患者に注射されたかどうかを検出するセンサが作り出される。例えば、アンテナおよび送信チップサブシステムが接続された場合に、センサは、注射器での注射を確認するためにプランジャロッドが押し下げられた後に動作可能である。同時に、センサは、注射確認信号を受信機に送信する。
【０００９】
したがって、無線送信システムは、Ｂｌｕｅｔｏｏｔｈ(登録商標)チップおよびＢｌｕｅｔｏｏｔｈ(登録商標)アンテナの無線送信システムかまたは他の任意の無線送信システムとすることができ、それにより、確認センサの設定を作成するためにアンテナと一体型および／または送信チップとを分離することができる。
【００１０】
アンテナおよび送信チップが分離された状態に保たれ注射の成功前に意図せずに一体とならないことを確実にするために、送信チップおよびアンテナサブシステムは、注射中に乗り越えられる物理的障壁により分離された状態に保たれる。注射中に、プランジャロッドがユーザにより押し下げられたときに、注射確認データを取得および／または送信する完全かつ動作可能な無線送信システムを形成するように、アンテナが、例えば物理的障壁を乗り越えて送信チップに接触する。
【００１１】
本発明は、任意のプランジャ内に一体化させ、限定されるものではないが、自己注射器を含む、限定されるものではないが、プランジャロッドを使用して注射がなされるように意図された充填済み注射器を含む全ての注射器に利用することができる。本発明は、注射器用のデジタル接続プランジャロッドを作り出す。
【００１２】
添付の図面は、本明細書の一部を形成するとともに、本明細書と併せて解釈されるべきであり、添付の図面では、種々の図中に類似の部分を示すために類似の参照番号が使用される。
【図面の簡単な説明】
【００１３】
【図１】図１は、受動的安全装置と、注射器と、本発明のデジタル接続されたプランジャロッドとを備える充填済み注射器の斜視図である。
【図２】図２は、図１の組み立てられたデジタル接続プランジロッドの斜視図である。
【図３Ａ】図３Ａは、分かり易くするためにアンテナ線が省略された、図２のデジタル接続プランジャロッドの分解図である。
【図３Ｂ】図３Ｂは、アンテナ保持部が弾性カバーによりプランジャロッド内に保持された状態を示す、図３Ａのプランジャロッドの上部の上面断面斜視図である。
【図４】図４は、分かり易くするためにアンテナ線が省略されたアンテナ保持部およびその部品の上面斜視図および底面斜視図を含む。
【図５】図５は、アンテナ線の端部が導電片に取り付けられた状態を示すアンテナ保持部の底側面図である。
【図６】図６は、アンテナ線がアンテナ保持部に巻き付けられてアンテナ線の自由端部が取り付けられていない状態を示す、アンテナ保持部の上側面図である。
【図７】図７は、送信チップシステムの組立図および分解図である。
【図８】図８は、分かり易くするためにセンサ部品およびカバーなしのプランジャロッドの部分上面斜視図である。
【図９】図９は、図７のプランジャロッドの断面図である。
【図１０】図１０は、作動前形態においてアンテナ保持部が障壁の上部に配置された状態を示すプランジャロッドの上部の部分断面図である。
【図１１】図１１は、作動後形態における図１のプランジャロッドと同様のプランジャロッドの上部の部分断面図である。
【図１２】図１２は、図１２のプランジャロッドの底面断面斜視図である。
【図１３】図１３は、接点スイッチが無線送信チップ上に、導電性接着剤を用いて取り付けられるのではなく、はんだ付けされる、本発明の代替的な実施形態の図である。
【図１４】図１４は、受動的注射器部品／装置の３次元ＣＡＤの例である。
【図１５】図１５は、受動的注射器安全部品／装置の物理的画像である。
【発明を実施するための形態】
【００１４】
上述のように、本発明は、無線センサを２つ以上のサブユニットまたは部分に分離することと、分離されたサブユニットを作動前形態において本発明のデジタル接続されたプランジャロッド内に保つこととを含む。無線センサのサブユニットが分離されたときに、無線センサは、好ましくは非稼動であるとともに、信号を送信することができない。より好ましくは、センサのサブユニットは、プランジャロッドを押し下げて注射器から全ての薬剤を放出するのに必要な力と好ましくは実質的に同様の、十分な力で乗り越えることができる物理的障壁により物理的に分離される。
【００１５】
作動中に、ユーザがプランジャロッドを押圧し、それによりプランジャロッドの上部にその力を加える。この力により、サブユニットを分離する物理的障壁が乗り越えられ、サブユニットが組み立てられるかまたは接続されてセンサが完成し、センサが稼働状態になって、注射が完了したという信号を受信機に送信することが可能となる。作動後形態では、すなわち、全ての薬剤が注射器から放出されたときに、好ましくは、物理的障壁がその元の形態を回復でき、サブユニットを互いに接触した状態に保つ押圧力を加える。
【００１６】
一実施形態において、センサのサブユニットは、アンテナ／アンテナ保持部と、送信チップと、接点スイッチ組立体とを備え得る。別の実施形態では、Ｂｌｕｅｔｏｏｔｈ(登録商標)システムと同様に電源が分離された状態で接点スイッチをアンテナ／アンテナ保持部とグループ化することができる。他の実施形態は、通信システムを構成する任意の部品またはサブシステムを離隔または分離することを含み得る。
【００１７】
図１を参照すると、例示的な本発明のデジタル接続されたプランジャロッド１が、受動的注射器安全部品２と、針を覆うシースを遠位端部に備えた注射器３、好ましくは充填済み注射器とを備えた注射器ユニットの一部として示されている。受動的注射器部品／装置の３次元ＣＡＤの例が図１４に示されている。受動的注射器安全部品／装置の物理的画像が図１５に示されている。本発明のプランジャロッド１は、図２に示すように、シャフト５と、指作動式ヘッド部分７とを有し得る。シャフト５の遠位端部９は、注射器から薬剤を放出するために注射器内のゴム製ピストンに係合してピストンを遠位方向に押圧するような大きさおよび寸法とされる。
【００１８】
図３Ａに示すように、本発明のプランジャロッド１のユーザ作動可能部分７は、シャフト５の上部に位置決めされた、以下で詳細に説明する、センサ保持部１１を有し、かつ無線センサは概して、以下で説明する、無線送信チップおよび接点スイッチ組立体１３と、１つまたは複数の導電片１５と、アンテナを備えたアンテナ保持部１７とを備える。導電片１５は、導電性接着剤が箔の片面に塗布された導電性金属箔を有する。組立体１３、導電片１５、およびアンテナ線を備えたアンテナ保持部１７がセンサを構成し、かつ、好ましくは可撓性であり、より好ましくはエラストマー製である、カバー１９が、センサ保持部１１内にセンサを閉じ込める。組み立てられたユーザ作動可能部分７が図３Ｂに示されている。
【００１９】
図４の上面斜視図と底面斜視図の両方で図示する、アンテナ保持部１７は、アンテナ線ループ保持部２１の間に配線通路２３を画定する２つの半円形状を備える、アンテナ線ループ保持部２１を有する。アンテナ保持部１７はまた、アンテナ線が保持部１７を通過するための２つの配線挿通孔２５を有する。アンテナ保持部１７は、センサ保持部１１内のアンテナ保持部１７の向きを案内するための少なくとも１つの向き決め案内部または切欠部２７を更に備える。
【００２０】
図５および図６に最も良く示すように、アンテナ線２９のコイルは、線ループ保持部２１に巻き付けられる。アンテナ線の２つの端部３１および３３は、配線通路２３内に位置決めされて孔２５に通され、かつ導電片１５の導電性接着剤側によりアンテナ保持部１７の底表面にテープで固定される。よって、アンテナ保持部１７の底面上の導電片１５は、アンテナ保持部１７の上部に巻き付けられたアンテナ線に電気的に接続される。
【００２１】
無線送信チップおよび接点スイッチ組立体１３が図７に最も良く示されている。この組立体は、無線送信チップ３５と、導電性両面接着片３９によりチップ３５に取り付けられる１つまたは複数の接点スイッチ３７とを備える。
【００２２】
センサハウジング１１は、図８および図９に最も良く示すように、センサのサブユニットを保持するための多くの特徴または物理的特徴を含み、結果として、これらのサブユニットは作動前形態では分離されている。センサハウジング１１は、無線送信チップおよび接点スイッチ組立体１３を受け入れてセンサハウジング１１の底表面４２上に保持するような大きさおよび寸法とされたスロットまたは保持部４１と、アンテナ保持部１７における向き決め係止部または切欠部２７に対応する少なくとも１つの向き案内部４３とを有する。向き決め案内部４３は、向き決め切欠部２７に嵌合して、アンテナ案内部１７の底表面上に位置する導電片１５が接点スイッチ３７の真上に位置決めされることを確実にする。
【００２３】
センサハウジング１１はまた、２つの支持表面４５および４７を有する。図９に最も良く示すように、これらの２つの表面は、直立した垂直部材上に形成される。しかしながら、この直立した垂直部材はまた、センサハウジング１１の本体と一体に形成されてもよい。支持表面４５は、センサハウジング１１の上部近傍に位置するとともに、カバー１９の外縁部を支持するようになされる。支持されたままで、カバー１９は、好ましくは、注射器３から薬剤を放出するためにユーザがプランジャロッド１を下方に押圧したときに内方に撓んでもよい。カバー１９は、接着剤、スポット接合、超音波溶接、または他の既知の取り付け方法により支持表面４５に取り付けられてもよい。
【００２４】
支持表面４７は、作動前形態においてアンテナ保持部１７を支持するように設計される。支持表面４７は、好ましくは、図９に最も良く示すように、センサハウジング１１の側部から片持ち状に支持される、棚部４９により形成される。棚部４９は、アンテナ保持部１７を支持するとともに、プランジャロッド１がユーザにより押圧されたときに下方に撓むように設計される。棚部４９は、アンテナ保持部１７を無線送信チップおよび接点スイッチ組立体１３から離れる方向に分離し、その結果、作動前形態ではセンサが組み立てられずかつ非稼動である。棚部４９は、上述のように、作動前形態においてセンサのサブユニットを分離された状態に保つ物理的障壁を提供する。
【００２５】
注射器３から薬剤を放出するためにユーザがプランジャロッド１の上部に力を加えたときに、同じ力がヘッド部分７に加えられる。この力により、カバー１７を介してアンテナ保持部１７が押圧され、かつ棚部４９が乗り越えられ、かつ棚部４９が下方に押圧され、アンテナ配線を備えたアンテナ保持部１７が棚部４９を通過して無線送信チップおよび接点スイッチ組立体１３に接触することが可能となる。接点スイッチ３７は、導電片１５とアンテナ線とに電気的に接触する。作動前形態から作動後形態へのひと続きのものが図１０、図１１に示されている。この作動後形態では、センサが組み立てられ、かつ送信チップが、アンテナ保持部１７内のアンテナを通じて薬剤の注射が完了したという無線信号を受信機に送信するようにプログラムされる。好ましくは、棚部４９が、元の位置に戻るように再び撓む。作動後形態における棚部４９の元の位置では、棚部４９が、アンテナ保持部１７を無線送信チップおよび接点スイッチ組立体１３に接触した状態に保持し、好ましくは、棚部４９が、その可撓性および片持ち接続によって、アンテナ保持部１７を無線送信チップおよび接点スイッチ組立体１３に接触した状態に保つ力を加える。図１２は、組立体１３内の接点スイッチ３７がアンテナ保持部１７の底面上の導電片１５に接触している作動後形態におけるプランジャロッド１を示している。上述のように、導電片１５は、アンテナ保持部１７の上部に巻き付けられたアンテナ線２９に電気的に接続される。
【００２６】
好ましくは、物理的障壁または棚部４９を乗り越えるのに必要な力は、幾何形状と、物理的障壁４９がセンサハウジング１１の側部からどの程度突出するかとによって決まる任意の力となるように設計することができる。換言すれば、物理的障壁４９は、乗り越えるのに比較的僅かな力しか必要としない比較的短くかつ薄い物理的障壁とすることができる。逆に、三角形幾何形状（図面では真っ直ぐに突き出している）と、厚さと、長さとを物理的障壁４９に加えてもよく、この物理的障壁４９は、乗り越えるのに著しく大きな力を必要とする。
【００２７】
物理的障壁４９を乗り越える力に応じて、アンテナ保持部１７は、プランジャの移動の開始間際に、移動の最中のどこかで、または移動の終了間際に、物理的障壁を通過することができる。通常、低い障壁力は、アンテナ保持部１７が注射中のプランジャ５の移動開始時に障壁４９を乗り越えることを意味し、かつより高い障壁力により、結果として、アンテナ保持部１７が注射の終了間際に障壁４９を乗り越える。注射の最中のどこかでの障壁力により、結果として、アンテナ保持部１７が注射の最中のどこかで障壁４９を乗り越える。障壁力の量は、構成材料、幾何形状、厚さ、および障壁が側壁から延びる長さ／深さを含むいくつかの因子によって決まる。当業者であれば、本発明の開示から物理的障壁を乗り越えるのに適切なレベルの力を選択し得る。
【００２８】
本明細書に開示した本発明の例示の実施形態が上記の目的を果たすことは明らかであるが、数多くの修正形態および他の実施形態が当業者により案出され得ることが理解される。そのような１つの修正形態では、図１３に示すように、組立体１３内の接点スイッチ３７が、接着片３９を使用する代わりに、無線送信チップ３５にはんだ付けされる。それゆえ、添付の特許請求の範囲が、本発明の趣旨および範囲内に入る、かかる全ての修正形態および実施形態を網羅するように意図されていることが理解されるであろう。
【図１】
2020501667.tif 000003
【図２】
2020501667.tif 000004
【図３Ａ】
2020501667.tif 000005
【図３Ｂ】
2020501667.tif 000006
【図４】
2020501667.tif 000007
【図５】
2020501667.tif 000008
【図６】
2020501667.tif 000009
【図７】
2020501667.tif 000010
【図８】
2020501667.tif 000011
【図９】
2020501667.tif 000012
【図１０】
2020501667.tif 000013
【図１１】
2020501667.tif 000014
【図１２】
2020501667.tif 000015
【図１３】
2020501667.tif 000016
【図１４】
2020501667.tif 000017
【図１５】
2020501667.tif 000018
【国際調査報告】
2020501667.tif 000019